(57)【要約】【課題】エレベータを制御するマイコンの電源の低下または上昇を検出した場合に、エレベータ制御回路に過大な制御電圧を印加させない構成とする。【解決手段】エレベータの制御盤に設けられた少なくとも２つ以上の独立制御電源と、各独立制御電源に接続し、各独立制御電源の電圧の低下または上昇を相互に監視して、前記独立制御電源の監視結果を出力する少なくとも２つ以上の監視回路と、前記独立制御電源のうち一の独立制御電源から電源を供給され、前記独立制御電源の電圧の監視結果に基づいて、前記エレベータを正常運転させるための制御情報を出力するエレベータ制御回路と、前記独立制御電源のうち他の独立制御電源から電源を供給され、前記独立制御電源の電圧の監視結果及び前記エレベータ制御回路からの制御情報に基づいて、前記エレベータの動力電源を投入または遮断するエレベータ動力電源制御回路と、を備えることを特徴とする、エレベータ制御電源監視装置が提供される。【選択図】図１
2016008123.tif 000002
【特許請求の範囲】
【請求項１】
エレベータの制御盤に設けられた少なくとも２つ以上の独立制御電源と、
各独立制御電源に接続し、各独立制御電源の電圧の低下または上昇を相互に監視して、前記独立制御電源の監視結果を出力する少なくとも２つ以上の監視回路と、
前記独立制御電源のうち一の独立制御電源から電源を供給され、前記独立制御電源の電圧の監視結果に基づいて、前記エレベータを正常運転させるための制御情報を出力するエレベータ制御回路と、
前記独立制御電源のうち他の独立制御電源から電源を供給され、前記独立制御電源の電圧の監視結果及び前記エレベータ制御回路からの制御情報に基づいて、前記エレベータの動力電源を投入または遮断するエレベータ動力電源制御回路と、
を備えることを特徴とする、エレベータ制御電源監視装置。
【請求項２】
前記監視回路によりいずれかの前記独立制御電源の異常が検出されて、前記エレベータ動力電源制御回路により前記エレベータの動力電源が遮断されて、前記エレベータが停止した後に、
前記監視回路は、前記独立制御電源の監視を継続する
ことを特徴とする、請求項１に記載のエレベータ制御電源監視装置。
【請求項３】
前記監視回路によりいずれかの前記独立制御電源の異常が検出されて前記エレベータが停止した後に、前記監視回路により前記独立制御電源が正常になったことが検出された場合に、
前記エレベータ制御回路は、前記エレベータ動力電源制御回路に前記エレベータの動力電源を投入させて前記エレベータを再起動させる
ことを特徴とする、請求項２に記載のエレベータ制御電源監視装置。
【請求項４】
前記エレベータ動力電源制御回路により前記エレベータが再起動された後に、前記監視回路によりいずれかの前記独立制御電源の異常が検出されなかった場合に、
前記エレベータ制御回路は、前記エレベータを最寄階で着床させるための制御情報を前記エレベータ動力電源制御回路に出力する
ことを特徴とする、請求項３に記載のエレベータ制御電源監視装置。
【請求項５】
前記監視回路によりいずれかの前記独立制御電源の異常が検出されて前記エレベータが停止した後に、前記監視回路によりいずれかの前記独立制御電源の異常が検出された場合に、
前記エレベータ制御回路は、前記エレベータ停止後の不稼働時間をタイマでカウントする
ことを特徴とする、請求項２に記載のエレベータ制御電源監視装置。
【請求項６】
前記タイマのカウントが所定時間以上であった場合に、
前記エレベータ制御回路は、前記エレベータの動力電源を遮断させて前記エレベータを停止させるための制御情報を前記エレベータ動力電源制御回路に出力し、前記監視回路による前記独立制御電源の監視を停止する
ことを特徴とする、請求項５に記載のエレベータ制御電源監視装置。
【請求項７】
エレベータの制御盤に設けられた少なくとも２つ以上の独立制御電源と、各独立制御電源に接続し、各独立制御電源の電圧の低下または上昇を相互に監視して、前記独立制御電源の監視結果を出力する少なくとも２つ以上の監視回路と、前記独立制御電源のうち一の独立制御電源から電源を供給され、エレベータの運転を制御するエレベータ制御回路と、前記独立制御電源のうち他の独立制御電源から電源を供給され、エレベータの動力電源を投入または遮断するエレベータ動力電源制御回路と、を備えたエレベータ制御電源監視装置におけるエレベータ制御電源監視方法であって、
前記監視回路が相互に前記独立制御電源を監視するステップと、
前記各独立制御電源の監視結果を前記エレベータ制御回路及び前記エレベータ動力電源制御回路に出力するステップと、
前記エレベータ制御回路が、前記独立制御電源の電圧の監視結果に基づいて、エレベータを正常運転さえるための制御情報を出力するステップと、
前記エレベータ動力電源制御回路が、前記独立制御電源の電圧の監視結果及び前記エレベータ制御回路からの制御情報に基づいて、前記エレベータの動力電源を投入または遮断するステップと、
を含むことを特徴とする、エレベータ制御電源監視方法。
【発明の詳細な説明】
【技術分野】
【０００１】
本発明は、エレベータ制御電源監視装置及びエレベータ制御電源監視方法に関し、エレベータ制御電源の状態を監視するエレベータ制御電源監視装置及びエレベータ制御電源監視方法に適用して好適なるものである。
【背景技術】
【０００２】
従来、エレベータを制御するマイコンの電源低下やその周辺回路の制御電源の有無を検出することにより、エレベータ制御電源の状態を監視して、エレベータの運転を制御する技術が開示されている。
【先行技術文献】
【特許文献】
【０００３】
【特許文献１】特開平３−２５６９９２号公報
【発明の概要】
【発明が解決しようとする課題】
【０００４】
しかし、従来の技術では、上記したように、エレベータを制御するマイコンの電源低下は監視しているが、電源上昇については監視していないため、電源回路の故障などにより、過大な制御電源電圧でエレベータの制御回路を継続運転させてしまう恐れがあった。
【０００５】
また、これら電源電圧の低下は、一つの制御電源により異常検出するため、監視回路の電源が過渡となった状態で回路動作をさせることとなり、エレベータの制御回路の動作が不安定になりやすい。また、マイコンが介在しないハード回路のみで電源電圧の異常を検出する構成である場合には、電源電圧が正常値に戻った後に、エレベータを安全に再起動できるかどうかの判断が困難となるという問題があった。
【０００６】
本発明は以上の点を考慮してなされたもので、エレベータを制御するマイコンの電源の低下または上昇を検出した場合に、エレベータ制御回路に過大な制御電圧を印加させない構成とすることが可能なエレベータ制御電源監視装置及びエレベータ制御電源監視方法を提案しようとするものである。
【課題を解決するための手段】
【０００７】
かかる課題を解決するために本発明においては、エレベータの制御盤に設けられた少なくとも２つ以上の独立制御電源と、各独立制御電源に接続し、各独立制御電源の電圧の低下または上昇を相互に監視して、前記独立制御電源の監視結果を出力する少なくとも２つ以上の監視回路と、前記独立制御電源のうち一の独立制御電源から電源を供給され、前記独立制御電源の電圧の監視結果に基づいて、前記エレベータを正常運転させるための制御情報を出力するエレベータ制御回路と、前記独立制御電源のうち他の独立制御電源から電源を供給され、前記独立制御電源の電圧の監視結果及び前記エレベータ制御回路からの制御情報に基づいて、前記エレベータの動力電源を投入または遮断するエレベータ動力電源制御回路と、を備えることを特徴とする、エレベータ制御電源監視装置が提供される。
【０００８】
かかる課題を解決するために本発明においては、エレベータの制御盤に設けられた少なくとも２つ以上の独立制御電源と、各独立制御電源に接続し、各独立制御電源の電圧の低下または上昇を相互に監視して、前記独立制御電源の監視結果を出力する少なくとも２つ以上の監視回路と、前記独立制御電源のうち一の独立制御電源から電源を供給され、エレベータの運転を制御するエレベータ制御回路と、前記独立制御電源のうち他の独立制御電源から電源を供給され、エレベータの動力電源を投入または遮断するエレベータ動力電源制御回路と、を備えたエレベータ制御電源監視装置におけるエレベータ制御電源監視方法であって、前記監視回路が相互に前記独立制御電源を監視するステップと、前記各独立制御電源の監視結果を前記エレベータ制御回路及び前記エレベータ動力電源制御回路に出力するステップと、前記エレベータ制御回路が、前記独立制御電源の電圧の監視結果に基づいて、エレベータを正常運転さえるための制御情報を出力するステップと、前記エレベータ動力電源制御回路が、前記独立制御電源の電圧の監視結果及び前記エレベータ制御回路からの制御情報に基づいて、前記エレベータの動力電源を投入または遮断するステップと、を含むことを特徴とする、エレベータ制御電源監視方法が提供される。
【発明の効果】
【０００９】
本発明によれば、電源の低下または上昇を検出した場合に、エレベータ制御回路に過大な制御電圧を印加させない構成として、制御電源が安定した状態でエレベータを運転させて、安全を確保したエレベータを供給することができる。
【図面の簡単な説明】
【００１０】
【図１】本発明の一実施形態に係るエレベータ制御電源監視装置の構成を示すブロック図である。
【図２】同実施形態にかかるエレベータ制御電源監視処理の詳細を示すフローチャートである。
【発明を実施するための形態】
【００１１】
以下図面について、本発明の一実施の形態を詳述する。
【００１２】
（１）本実施の形態の概要
従来、エレベータを制御するマイコンの電源電圧の低下または上昇は、１つの制御電源により監視していた。このとき、電源電圧が低下または上昇すると、監視回路の電源が過度となった状態で回路動作をさせることとなり、エレベータの制御回路の動作が不安定になりやすい。
【００１３】
そこで、本実施の形態では、独立した二つの電源を制御盤に設け、それぞれに監視回路を設けて相互に電源電圧を監視する。これにより、監視回路の電源が過渡の状態のまま監視しないようにすることができ、監視回路による安定した検出動作を提供することができる。
【００１４】
また、マイコンを介在させずにハード回路のみで電源電圧の異常を検出する場合には、電源電圧が正常値に戻った後に、エレベータを安全に再起動できるかどうかの判断が困難となる。例えば、タイマにより電源電圧の異常を検出する場合には、電源電圧が１秒程度の短時間で急下降して急上昇する場合は、エラーとせずにノイズとして無視する構成としている。
【００１５】
しかし、電源電圧が急降下して急上昇すると、監視回路としての機能が喪失されて、エレベータの制御回路の動作が不安定となってしまう可能性がある。さらに、タイマで電源電圧の異常を検出している場合には、電源電圧の急な変化を吸収してしまうため、どのようなエラーが発生したかを判断することができない。
【００１６】
そこで、本実施の形態では、エレベータを制御するマイコンの電源低下だけでなく、電源上昇も監視し、必要に応じてエレベータ動力電源制御回路を遮断したり、異常を検出したことをエレベータ制御回路に出力することで、制御回路に過大な制御電圧を印加させずに安全な回路動作を確保するものである。
【００１７】
（２）エレベータ制御電源監視装置の構成
次に、図１を参照してエレベータ制御電源監視装置の構成について説明する。図１に示すように、エレベータ制御電源監視装置は、第１の独立制御電源１０１から電源を供給する第１の監視回路１０３と、第２の独立制御電源１０２から電源を供給する第２の監視回路１０４と、制御マイコン１０５を含むエレベータ制御回路１０６と、エレベータ動力電源制御回路１０７から構成される。
【００１８】
第１の独立制御電源１０１は、エレベータ動力電源制御回路１０７の電源１０８として使用される電源である。第１の監視回路１０３は、第１の独立制御電源１０１の電源をエレベータ動力電源制御回路１０７に供給し、かつ、第２の独立制御電源１０２の出力電源電圧を監視する。
【００１９】
第１の監視回路１０３は、第２の独立制御電源１０２の出力電源電圧を監視した結果を含む電源状態信号１１０を、エレベータ制御回路１０６へ出力するとともに、エレベータ動力電源制御回路１０７へ出力する。第２の独立制御電源１０２の出力電源電圧を監視した結果、第２の独立制御電源１０２の電源異常を検出した場合には、エレベータ動力電源出力１１４を遮断する。
【００２０】
第２の独立制御電源１０２は、エレベータ制御回路１０６の電源１０９として使用される電源である。第２の監視回路１０４は、第２の独立制御電源１０２の電源をエレベータ動力電源制御回路１０７に供給し、かつ、第１の独立制御電源１０１の出力電源電圧を監視する。
【００２１】
第２の監視回路１０４は、第１の独立制御電源１０１の出力電源電圧を監視した結果を含む電源状態信号１１１を、エレベータ制御回路１０６へ出力するとともに、エレベータ動力電源制御回路１０７へ出力する。第１の独立制御電源１０１の出力電源電圧を監視した結果、第１の独立制御電源１０１の電源異常を検出した場合には、エレベータ動力電源出力１１４を遮断する。
【００２２】
エレベータ動力電源制御回路１０７は、第１の監視回路１０３からの電源状態信号１１０と、制御マイコン１０５を含むエレベータ制御回路１０６の出力とが、両方ともオンの場合のみ片方の接点をオンする。また、第２の監視回路１０４からの電源状態信号１１１と、制御マイコン１０５を含むエレベータ制御回路１０６の出力とが、両方ともオンの場合のみもう一方の接点をオンする。
【００２３】
なお、本実施の形態では、２つの独立制御電源と、２つの独立制御電源を相互に監視する２つの監視回路によりエレベータ制御電源監視装置を構成しているが、かかる例に限定されない。例えば、２つ以上の独立制御電源と、２つ以上の監視回路を用いることにより、２つの独立制御電源が異常となった場合に、エレベータの可動を継続することが可能となるなど、より安全性の高いエレベータを提供することが可能となる。
【００２４】
（３）エレベータ制御電源監視処理の詳細
次に、本実施の形態にかかるエレベータ制御電源監視処理の詳細について説明する。図２は、エレベータ制御電源監視処理の詳細を示すフローチャートである。
【００２５】
図２に示すように、まず、監視回路にて、電源電圧を監視する（Ｓ２０１）。具体的に、第１の監視回路１０３は、第２の独立制御電源１０２から出力される電源電圧を監視し、第２の監視回路１０４は、第１の独立制御電源１０１から出力される電源電圧を監視する。
【００２６】
そして、第１の監視回路１０３は、監視した結果を含む電源状態信号１１０をエレベータ制御回路１０６及びエレベータ動力電源制御回路１０７に出力する。また、第２の監視回路１０４は、監視した結果を含む電源状態信号１１１をエレベータ制御回路１０６及びエレベータ動力電源制御回路１０７に出力する。
【００２７】
そして、制御マイコン１０５は、第１の独立制御電源１０１の出力電圧が異常かを判定する（Ｓ２０２）。ステップＳ２０２において、出力電圧が異常である場合とは、例えば、出力電圧が異常値を示している場合や、出力電圧が許容範囲を超えて短時間で急上昇したり急下降したりしている場合などを含む。
【００２８】
ステップＳ２０２において、第１の独立制御電源１０１の出力電圧が異常であると判定された場合には、制御マイコン１０５は、エレベータを停止させる（Ｓ２０４）。具体的に、制御マイコン１０５は、電圧の上昇や低下といった異常を検出した場合には、エレベータ動力電源制御回路１０７の制御接点の片方をオフし、エレベータ動力電源出力１１２を止めてエレベータを停止する。
【００２９】
一方、ステップＳ２０２において、第１の独立制御電源１０１の出力電圧が異常ではない、すなわち正常である場合には、制御マイコン１０５は、第２の独立制御電源１０２の出力電圧が異常かを判定する（Ｓ２０３）。
【００３０】
ステップＳ２０３において、第２の独立制御電源１０２が異常であると判定された場合には、制御マイコン１０５は、エレベータを停止させる（Ｓ２０４）。具体的に、制御マイコン１０５は、電圧の上昇や低下といった異常を検出した場合には、エレベータ動力電源制御回路１０７の制御接点のもう一方をオフし、エレベータ動力電源出力１１３を止めてエレベータを停止する。
【００３１】
一方、ステップＳ２０４において、第２の独立制御電源１０２が異常ではない、すなわち、正常である場合には、制御マイコン１０５は、電源電圧は正常であると判断して、ステップＳ２０１に戻り、電源電圧の監視を続ける。
【００３２】
続いて、制御マイコン１０５は、第１の独立制御電源１０１の異常が継続しているかを判定する（Ｓ２０５）。ステップＳ２０５において、第１の独立制御電源１０１の異常が継続していると判定された場合には、制御マイコン１０５は、エレベータの停止状態を継続させて、エレベータ不稼働のタイマをカウントアップする（Ｓ２１１）。
【００３３】
一方、ステップＳ２０５において、第１の独立制御電源１０１の異常が継続していない、すなわち、第１の独立制御電源１０１が正常であると判定された場合には、制御マイコン１０５は、第２の独立制御電源１０２の異常が継続しているかを判定する（Ｓ２０６）。
【００３４】
ステップＳ２０６において、第２の独立制御電源１０２の異常が継続していると判定された場合には、制御マイコン１０５は、エレベータの停止状態を継続させて、エレベータ不稼働のタイマをカウントアップする（Ｓ２１１）。
【００３５】
一方、ステップＳ２０６において、第２の独立制御電源１０２の異常が継続していない、すなわち、第２の独立制御電源１０２が正常であると判定された場合には、制御マイコン１０５は、エレベータ動力電源制御回路１０７の２つの制御接点の両方をオンにして、エレベータ動力電源出力１１４を供給してエレベータを再起動する（Ｓ２０７）。
【００３６】
そして、制御マイコン１０５は、ステップＳ２０７でエレベータを再起動した後、再度、第１の独立制御電源１０１が異常かを判定する（Ｓ２０８）。
【００３７】
ステップＳ２０８において、第１の独立制御電源１０１が異常であると判定された場合、すなわち、第１の独立制御電源１０１の電圧が上昇したり低下したりしている場合には、制御マイコン１０５は、エレベータを停止させて、エレベータ不稼働のタイマをカウントアップする（Ｓ２１１）。
【００３８】
一方、ステップＳ２０８において、第１の独立制御電源１０１が異常ではない、すなわち、正常であると判定された場合には、制御マイコン１０５は、第２の独立制御電源が異常化を判定する（Ｓ２０９）。
【００３９】
ステップＳ２０９において、第２の独立制御電源１０２が異常であると判定された場合、すなわち、第２の独立制御電源１０２の電圧が上昇したり低下したりしている場合には、制御マイコン１０５は、エレベータを停止させて、エレベータ不稼働のタイマをカウントアップする（Ｓ２１１）。
【００４０】
一方、ステップＳ２０９において、第２の独立制御電源１０２が異常ではない、すなわち、正常であると判定された場合には、制御マイコン１０５は、エレベータが最寄階に着床するまで運転を継続させて、最寄階に着床して乗客がエレベータから降車したことをセンサ（図示せず）などで確認した後、エレベータ制御回路１０６からエレベータ動力電源制御回路１０７に停止信号を出力する。そして、制御マイコン１０５は、エレベータ動力電源制御回路１０７の制御接点をオフにして、エレベータ動力電源出力１１４の出力を停止して、エレベータを休止する。
【００４１】
ステップＳ２１１において、制御マイコン１０５は、エレベータを停止させた後に、電源異常によりエレベータが復旧しない場合には、エレベータ不稼働状態として当該時間からタイマを起動してタイマカウントする。そして、制御マイコン１０５は、カウント時間が５秒以上継続しているかを判定する（Ｓ２１２）。
【００４２】
ステップＳ２１２において、カウント時間が５秒以上継続していると判定された場合には、エレベータが正常に動作できないと判断して、制御マイコン１０５は、エレベータを制止させる（Ｓ２１３）。ステップＳ２１３において、制御マイコン１０５は、エレベータを制止させるとともに、第１の監視回路１０３及び第２の監視回路１０４による第１の独立制御電源１０１及び第２の独立制御電源１０２の監視も停止させる。
【００４３】
一方、ステップＳ２１２において、カウント時間が５秒以上継続していないと判定された場合には、制御マイコン１０５は、再度ステップＳ２０５以降の処理を繰り返す。すなわち、エレベータを停止させた状態のまま、第１の制御電源１０１及び第２の制御電源１０２の電源状態の監視を継続する。
【００４４】
このように、ステップＳ２０４において、電源異常が発生してエレベータを一旦停止させた後にエレベータを再起動させた場合には、第１の独立制御電源１０１または第２の独立制御電源１０２が、再び不安定な状態となる可能性がある。そこで、エレベータを正規同させた後に第１の独立制御電源１０１及び第２の独立制御電源１０２が正常である場合には、エレベータを最寄階まで稼働させて、乗客を乗りかごから降ろした後にエレベータを停止させる。
【００４５】
例えば、制御マイコン１０５の判断をせずに、タイマのみでエレベータの可動や停止を判断する場合には、どのような状況でエレベータが停止したのか、再起動したのかがわからず、安全なエレベータの稼働を確保することができない。
【００４６】
しかし、本実施の形態によれば、２つの独立した制御電源に対して２つの監視回路で電源電圧を相互に監視することにより、２つの制御電源の異常の状態に応じて、エレベータ制御回路１０６やエレベータ動力電源制御回路１０７に対して適切な信号を出力することができる。このように、制御マイコンを介在しないハード回路と、マイコン回路の両方の信号で、エレベータの動力電源を制御している。
【００４７】
（４）本実施の形態の効果
以上説明したように本発明の実施の形態によれば、独立した電源に対する監視回路により、電源電圧の上昇、または低下を相互に監視して、その異常の状態に応じてエレベータ制御回路及びエレベータ動力電源制御回路に対し信号出力し、マイコンを介在しないハード回路及びマイコン回路の両方の信号でエレベータの動力電源を制御することにより、制御電源が安定した状態でエレベータを運転でき、より安全に利用可能なエレベータを乗客に供給することができる。
【符号の説明】
【００４８】
１０１    第１の独立制御電源
１０２    第２の独立制御電源
１０３    第１の監視回路
１０４    第２の監視回路
１０５    制御マイコン
１０６    エレベータ制御回路
１０７    エレベータ動力電源制御回路
【図１】
2016008123.tif 000003
【図２】
2016008123.tif 000004